(57)【要約】【課題】罹災や停電に対応するテレビジョン装置を提供する。【解決手段】テレビジョン装置２０は、ＵＳＢ等の通常の通信信号と、携帯端末１０、１１、１２のアンテナで受信されたデジタル放送の電波信号とを同一の信号線で入力するコネクタ２０５、２１５、２２５を備える。また、チューナ部２４０、２４１、２４２は、電波信号を復調するチューナである。また、ＵＳＢインターフェイス２５０、ＨＤＭＩ入力部２５１、ビデオ入力部２５２は、通常の通信信号の送受信を行う送受信手段である。スイッチ２００、２１０、２２０は、電波信号を、前記送受信手段と前記チューナとに切り換える。合成ダイバーシティー部２６０は、複数のチューナ部２４０、２４１、２４２で復調した電波信号を、最大比合成又はアンテナ合成によりダイバーシティーする。【選択図】  図１
2013131879.tif 000002
【特許請求の範囲】
【請求項１】
通信信号と、携帯端末のアンテナで受信されたデジタル放送の電波信号とを同一の信号線で入力するコネクタと、
前記電波信号を復調するチューナと、
前記通信信号の送受信を行う送受信手段と、
前記電波信号を、前記送受信手段と前記チューナとに切り換えるスイッチと、
複数の前記チューナで復調した複数の前記電波信号を、最大比合成又はアンテナ合成によりダイバーシティーするダイバーシティー手段とを備える
ことを特徴とするテレビジョン装置。
【請求項２】
自装置に備わるアンテナから電波入力できない場合、前記携帯端末に電波送信指示信号を送信する電波送信指示信号送信手段を備え、
前記スイッチは、前記携帯端末からの前記電波信号が受信された場合に、前記チューナが前記電波信号を入力するよう切り換える
ことを特徴とする請求項１に記載のテレビジョン装置。
【請求項３】
デジタル放送を受信する携帯端末において、
通信信号を送受信するためのコネクタと、
受信した前記デジタル放送の電波信号を、前記コネクタの信号線から出力するよう切り換えるスイッチを備える
ことを特徴とする携帯端末。
【請求項４】
テレビジョン装置によるテレビジョン放送受信方法において、
コネクタにより、通信信号と、携帯端末のアンテナで受信されたデジタル放送の電波信号とを同一の信号線で入力し、
スイッチにより、前記電波信号を前記通信信号の送受信手段から、デジタル放送のチューナに切り換え、
複数の前記チューナで復調した複数の前記電波信号を、最大比合成又はアンテナ合成によりダイバーシティーする
ことを特徴とするテレビジョン放送受信方法。
【発明の詳細な説明】
【技術分野】
【０００１】
本発明はテレビジョン装置、携帯端末、及びテレビジョン放送受信方法に係り、特にデジタル放送の電波信号の送受信を行うテレビジョン装置、携帯端末、及びテレビジョン放送受信方法に関する。
【背景技術】
【０００２】
近年、地上デジタルテレビ放送における、携帯電話・移動体端末向けの１セグメント部分受信サービス（以下、「ワンセグ」と呼ぶ。）を受信可能な携帯電話等の携帯端末が販売されている。
ワンセグの放送電波は、他の地上デジタルテレビ放送方式と比較して、より遠くまで届くという利点がある。このため、災害時などに付近の電波送信塔が罹災しても、より遠くの放送塔からワンセグ放送を受信することができる。
【０００３】
ここで、特許文献１を参照すると、携帯電話機であって、内部にビデオ回路を設け、ビデオ信号をテレビ受像機に送るためにテレビ受像機のビデオ端子と接続するためのビデオ端子を設けた携帯電話機が記載されている。
また、特許文献２を参照すると、ワンセグ信号受信可能な携帯端末機から、当該携帯端末機で受信したワンセグ信号を取り出して、そのワンセグ信号中の映像信号を携帯端末機の画面よりも大きな表示画面に表示することを特徴とするワンセグテレビジョン放送受信方法が記載されている。
また、特許文献３を参照すると、携帯電話にビデオカメラやデジタルカメラ等の画像音声出力端子を組込み、テレビやパソコン等の画像音声映像機器に接続ケーブル等で接続して直接映像音声を送り、外部処理装置やソフトウェア等を使用する事なくテレビ等の画像音声映像機器で携帯電話の映像音声、情報を映像化出来る携帯電話端末機が記載されている。
特許文献１乃至３の技術により、災害時でも大型のテレビジョンにてワンセグ放送を視聴することができる。
【０００４】
一方、近年、バッテリーを備えた、携帯用ではない大型の家庭用のテレビジョン受信機が開発されている。
このようなテレビジョン受信機は、所定時間、低消費電力動作ができる。このため、電力供給が一時的に停止した場合、例えば災害時や発展途上国の停電時でも、バッテリーで動作させることができる。
【先行技術文献】
【特許文献】
【０００５】
【特許文献１】特開２００１−３８４８９４号公報
【特許文献２】特開２００９−１１５５９号公報
【特許文献３】特開２０１１−１５３７８号公報
【発明の概要】
【発明が解決しようとする課題】
【０００６】
しかしながら、携帯電話では、ワンセグ放送を視聴すると、通常の通話や待機時の消費電力と比較して、非常に大きな電力を消費する。このため、特許文献１乃至３の携帯電話においては、ワンセグ放送の長時間の視聴ができないという課題があった。
また、バッテリーを備えた家庭用のテレビジョン受信機であっても、アンテナ受信環境が損なわれた場合は、デジタル放送を視聴できない可能性があった。
つまり、屋外アンテナや室内アンテナからの配線とテレビとの間に電波を増幅するブースターを設置している環境において、電力供給不足や災害時の停電等でブースターに電力が供給されないと、視聴不能になっていた。
【０００７】
本発明は、このような状況に鑑みてなされたものであり、上述の課題を解消することを課題とする。
【課題を解決するための手段】
【０００８】
本発明のテレビジョン装置は、通信信号と、携帯端末のアンテナで受信されたデジタル放送の電波信号とを同一の信号線で入力するコネクタと、前記電波信号を復調するチューナと、前記通信信号の送受信を行う送受信手段と、前記電波信号を、前記送受信手段と前記チューナとに切り換えるスイッチと、複数の前記チューナで復調した複数の前記電波信号を、最大比合成又はアンテナ合成によりダイバーシティーするダイバーシティー手段とを備えることを特徴とする。
本発明のテレビジョン装置は、自装置に備わるアンテナから電波入力できない場合、前記携帯端末に電波送信指示信号を送信する電波送信指示信号送信手段を備え、前記スイッチは、前記携帯端末からの前記電波信号が受信された場合に、前記チューナが前記電波信号を入力するよう切り換えることを特徴とする。
本発明の携帯端末は、デジタル放送を受信する携帯端末において、通信信号を送受信するためのコネクタと、受信した前記デジタル放送の電波信号を、前記コネクタの信号線から出力するよう切り換えるスイッチを備えることを特徴とする。
本発明のテレビジョン放送受信方法は、テレビジョン装置によるテレビジョン放送受信方法において、コネクタにより、通信信号と、携帯端末のアンテナで受信されたデジタル放送の電波信号とを同一の信号線で入力し、スイッチにより、前記電波信号を前記通信信号の送受信手段から、デジタル放送のチューナに切り換え、複数の前記チューナで復調した複数の前記電波信号を、最大比合成又はアンテナ合成によりダイバーシティーすることを特徴とする。
【発明の効果】
【０００９】
本発明によれば、携帯端末のアンテナからのデジタル放送の電波信号を、通常の通信信号の信号線で受信して、アンテナ受信環境が損なわれた場合でも視聴できるテレビジョン装置、携帯端末、及びテレビジョン放送受信方法を提供できる。
【図面の簡単な説明】
【００１０】
【図１】本発明の実施の形態に係る映像表示システムＸの制御構成を示すブロック図である。
【図２】本発明の実施の形態に係る電波受信処理のテレビジョン装置における処理を示すフローチャートである。
【図３】本発明の実施の形態に係る本発明の実施の形態に係る電波受信処理の携帯端末における処理を示すフローチャートである。
【図４】本発明の実施の形態に係るテレビジョン装置と携帯端末のＵＳＢ接続の詳細を示すブロック図である。
【図５】本発明の実施の形態に係るテレビジョン装置のＵＳＢ判定処理を示すフローチャートである。
【図６】本発明の実施の形態に係るテレビジョン装置と携帯端末のＭＨＬ接続の詳細を示すブロック図である。
【図７】本発明の実施の形態に係るテレビジョン装置と携帯端末のＭＨＬ接続の回路例を示す概念図である。
【図８】本発明の実施の形態に係るテレビジョン装置のＭＨＬ判定処理を示すフローチャートである。
【図９】本発明の実施の形態に係るテレビジョン装置と携帯端末のビデオ接続の詳細を示すブロック図である。
【図１０】本発明の実施の形態に係るテレビジョン装置のビデオ判定処理を示すフローチャートである。
【発明を実施するための形態】
【００１１】
＜第１の実施の形態＞
〔映像表示システムＸの構成〕
図１を参照して説明すると、本発明の実施の形態に係る映像表示システムＸは、携帯端末１０、１１、１２のような端末とテレビジョン装置２０とが、それぞれケーブル３０、３１、３２で接続されて構成される。
携帯端末１０、１１、１２は、デジタル放送を受信可能な携帯電話、スマートフォン、ＰＤＡ（パーソナル・データ・アシスタント）、ＭＩＤ（モバイル・インターネット端末）、ネットブック、ノートＰＣ、ワンセグ放送を受信する携帯型のテレビジョン受信装置（テレビ）、ビデオゲーム機等の携帯端末である。
テレビジョン装置２０は、地上デジタル放送やワンセグ放送や衛星デジタル放送等のデジタル放送の電波を受信する。テレビジョン装置２０は、ＲＦ（Ｒａｄｉｏ  Ｆｒｅｑｕｅｎｃｙ）部に接続された通常のアンテナ（図示せず）からの電波受信が不可能になった場合、携帯端末１０、１１、１２と各種コネクタを用いて接続して、電波信号（ＲＦ）を受信することができる。これにより、地上デジタル放送やワンセグ放送を受信できる。
【００１２】
携帯端末１０はアンテナ部１００及びＵＳＢコネクタ１０５を備える。同様に、携帯端末１１はアンテナ部１１０及びＵＳＢコネクタ１１５を備える。同様に、携帯端末１２はアンテナ部１２０及び平型コネクタ１２５を備える。
【００１３】
アンテナ部１００、１１０、１２０は、アンテナ、チューナ、及びスイッチ（切り換え手段）とを含む部位である。アンテナ部１００、１１０、１２０は、ヘッドホンコード等とは異なり、デジタル放送に好適なインピーダンスのアンテナであり、デジタル放送の帯域を増幅するブースター機能を備えることもできる。また、アンテナ部１００、１１０、１２０のスイッチは、チューナからの電波信号を、ＵＳＢ等の通常の通信信号のコネクタから出力するよう切り換えることができる。この切り換えは、テレビジョン装置２０からの電波送信切り換え用コマンドにて行うことができる。なお、この切り換えを、手動のスイッチで行うことも、電源切り時に自動的に電波信号の出力に切り換えるように構成することもできる。
アンテナ部１００、１１０、１２０の詳細な構成については後述する。
なお、アンテナ部１００、１１０、１２０は、ワンセグ放送だけではなく、通常の「フルセグ」の地上デジタル放送を受信可能に構成することもできる。加えて、アンテナ部１００、１１０、１２０は、衛星携帯の場合には、外付けアンテナ等を用いて衛星放送を受信することも可能である。
【００１４】
ＵＳＢコネクタ１０５、ＵＳＢコネクタ１１５、平型コネクタ１２５は、一般的な規格の通常の通信信号を送受信するためのコネクタである。すなわち、本実施形態のＵＳＢコネクタ１０５、ＵＳＢコネクタ１１５、平型コネクタ１２５は、対応する信号に加えて、データ線や信号線から電波信号の送信を行う。
携帯端末１１のＵＳＢコネクタ１１５は、通常のＡ／Ｂ／マイクロ／ミニ／ＵＳＢ２．０／３．０規格や後継規格に対応したコネクタやＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のコネクタ等の一般的なコネクタ又は独自コネクタを用いる。また、ＵＳＢコネクタ１１５からも、通常のＵＳＢ端子と同様に電源を入力／出力可能である。
携帯端末１２の平型コネクタ１２５は、携帯電話等からＡＶ（Ａｕｄｉｏ  Ｖｉｓｕａｌ）出力として外部ディスプレイに接続するための「平型」端子等のコネクタである。すなわち、平型コネクタ１２５は、ビデオ（コンポジット）信号線へ電波信号を送信可能である。さらに、オーディオ入力等の入力ピンから、＋５Ｖ等の電源を入力／出力可能である。
なお、携帯端末１０、１１、１２は、この他にもＣＰＵ等の制御部や、ＲＡＭやフラッシュメモリ等の記憶部、液晶や有機ＥＬ等の表示部、各種ボタンやセンサ等の入力部等の携帯端末に必要なハードウェア資源を備えている。
また、携帯端末１０、１１、１２は、テレビジョン装置２０に１つ又は複数接続することができる。また、同種の携帯端末１０、１１、１２を接続したり、別の構成の携帯端末１０、１１、１２を接続することもできる。
【００１５】
テレビジョン装置２０は、スイッチ２００、２１０、２２０（切り換え手段）と、ＵＳＢコネクタ２０５と、ＨＤＭＩコネクタ２１５と、ＲＣＡコネクタ２２５と、チューナ部２４０、２４１、２４２と、ＵＳＢインターフェイス２５０と、ＨＤＭＩ入力部２５１と、ビデオ入力部２５２と、合成ダイバーシティー部２６０（ダイバーシティー手段）を備えている。ＵＳＢインターフェイス２５０と、ＨＤＭＩ入力部２５１と、ビデオ入力部２５２とは、通常の通信信号の送受信手段である。
【００１６】
スイッチ２００は、携帯端末１０とテレビジョン装置２０とを、ＵＳＢインターフェイス２５０への通常のＵＳＢ接続から、チューナ部２４０への電波信号の接続に切り換える電子スイッチやリレー等である。
スイッチ２１０は、携帯端末１１とテレビジョン装置２０とを、ＨＤＭＩ入力部２５１への通常のＵＳＢ−ＨＤＭＩ接続から、チューナ部２４１への電波信号の接続に切り換える電子スイッチやリレー等である。
スイッチ２２０は、携帯端末１２とテレビジョン装置２０とを、ビデオ入力部２５２への通常のビデオ信号によるＡＶ接続から、チューナ部２４２への電波信号の接続に切り換える電子スイッチやリレー等である。
自装置に備わるアンテナ（図示せず）から電波を受信できない状況になった場合、携帯端末１０、１１、１２から電波信号が受信できると、スイッチ２００、２１０、２２０は、それぞれチューナ部２４０、２４１、２４２へ切り換えて、電波信号を出力する。
逆に通常のアンテナから電波が受信できる場合には、スイッチ２００、２１０、２２０は、それぞれＵＳＢインターフェイス２５０、ＨＤＭＩ入力部２５１、ビデオ入力部２５２に切り換え、通常のＵＳＢ、ＨＤＭＩ、ビデオ入力端子として機能させる。
【００１７】
切り換え信号送信部２０２は、放送受信の指示を行う電波送信切り換え用コマンド（電波送信指示信号）を、携帯端末１０、１１、１２にそれぞれ送信する電波送信指示信号送信手段である。
電波送信切り換え用コマンドは、例えば、所定の周波数で所定間隔の信号列等を用いることができる。
なお、携帯端末１０、１１、１２を、手動のスイッチで電波信号を出力するように切り換えたり、電源切り時に自動的に電波信号の出力に切り換えたりするように構成している場合、切り換え信号送信部２０２を用いない構成も可能である。
【００１８】
ＵＳＢコネクタ２０５は、通常のＵＳＢ２．０やＵＳＢ３．０やその後継規格（以下、「通常のＵＳＢ」という。）での信号を送受信するためのコネクタである。
ＨＤＭＩコネクタ２１５は、ＨＤＭＩ、ＤＶＩ、ディスプレイポート等のコネクタであり、各種のＨＤＭＩコネクタ等である。
ＲＣＡコネクタ２２５は、コンポジット信号を入力可能なＲＣＡコネクタ等である。ＲＣＡコネクタ２２５は、ビデオ（コンポジット）端子のＲＣＡコネクタ２２５の他に、音声入力やコンポーネント入力等、各種のＲＣＡコネクタ２２５を用いることができる。
【００１９】
チューナ部２４０、２４１、２４２は、デジタル放送の放送電波を受信する、同様の構成の一般的なデジタル放送用のチューナの部位である。また、チューナ部２４０、２４１、２４２は、Ａ／Ｄコンバータやフィルタ等も備えている。ここで、我が国の地上デジタル放送の例では、ＨＤ（高精細）やＳＤ（標準解像度）の通常のデジタル放送と、電界強度が低くても受信できるワンセグ放送の電波信号を取得する。すなわち、チューナ部２４０、２４１、２４２は、少なくとも通常の地上デジタル放送とワンセグ放送とを同時に受信可能である。
【００２０】
ＵＳＢインターフェイス２５０は、通常のＵＳＢで各種機器と通信するための送受信手段である。
ＨＤＭＩ入力部２５１は、ＨＤＭＩ信号入力のインターフェイスとＭＨＬインターフェイスとを兼用する接続部位である。ＨＤＭＩ入力部２５１は、ＨＤＭＩのデジタル信号を入力して、テレビジョン装置２０の映像入力部（図示せず）、音声入力部（図示せず）、通常のＭＨＬ信号での送受信に用いるＭＨＬインターフェイス部（図示せず）に送信することができる。
ビデオ入力部２５２は、コンポジット信号を入力してＡ／Ｄ変換等を行い、映像入力部（図示せず）へ送信する部位である。
【００２１】
合成ダイバーシティー部２６０は、チューナ部２４０、２４１、２４２で受信した電波信号を最も強い電波を選択する最大比合成や、アンテナ合成するダイバーシティーを行う部位である。合成ダイバーシティー部２６０は、チューナ部２４０、２４１、２４２からの電波の位相等が異なっていた場合には、エラー訂正を行って受信可能である。合成ダイバーシティー部２６０は、携帯端末１０、１１、１２が複数接続されている場合、これら複数のアンテナからの電波信号をダイバーシティーして、通常のアンテナが接続されたＲＦ部（図示せず）へ送信する。これにより、高感度受信を行うことができる。
【００２２】
なお、図１のテレビジョン装置２０については、携帯端末１０、１１、１２からの信号受信部位について主に説明している。テレビジョン装置２０は、この他にも、各部への制御を行う制御演算手段であるＣＰＵや制御回路等の制御部、制御部がハードウェア資源を用いて実行するプログラムやデータを記憶するＲＡＭやＲＯＭやフラッシュメモリ等の記憶部、静止画像や動画像等の映像を表示する液晶ディスプレイや有機ＥＬディスプレイ等の表示部、ＨＤＭＩ等で映像信号を出力する出力部、赤外線リモコン等のセンサやボタン等である入力部を備えることができる。
また、テレビジョン装置２０は、リチウムイオン電池や太陽電池や手回し発電機等の一般的なバッテリー等を内蔵していてもよく、ＬＥＤバックライトの液晶ディスプレイや有機ＥＬやＦＥＤ等の低消費電力のディスプレイパネルの表示部位を備える、低消費電力のテレビジョン受信機器である。これにより、テレビジョン装置２０は、災害時や停電時でも視聴可能である。
【００２３】
ケーブル３０、３１、３２は、他の用途に使用可能な一般的なケーブルを用いることができる。
ケーブル３０は、例えば、通常のＵＳＢ端子であるＵＳＢコネクタ１０５と、携帯電話等用のＵＳＢコネクタ２０５に対応した、ＵＳＢケーブルである。ここで、ＵＳＢ２．０規格に対応ケーブルは、通常のＵＳＢ接続の場合には４８０Ｍｂｐｓ（Ｍｅｇａ  ｂｉｔ  ｐｅｒ  ｓｅｃｏｎｄ）程度でデータを送受信することが可能な高周波に対応したケーブルである。このため、ＵＳＢケーブル３０にＵＳＢケーブルを用いることで、デジタル放送の電波信号を十分に送受信できる。また、ケーブル３０は、給電可能なＵＳＢケーブルであり、テレビジョン装置２０から＋５Ｖ等が携帯端末１０のアンテナ部１００に給電されるため、携帯端末１０の電源は切れていてもよい。なお、ケーブル３０は、ＩＤ端子を短絡したＵＳＢホストケーブルを用いることもできる。
ケーブル３１は、テレビジョン装置２０に備えられた、例えば、ＨＤＭＩ端子のようなデジタル映像端子のＨＤＭＩコネクタ２１５と、携帯端末１１等の携帯端末にてＨＤＭＩ端子と共用されているＵＳＢ共用端子であるＵＳＢコネクタ１１５とに接続するための一般的なＭＨＬケーブルである。ＭＨＬは、４Ｇｂｐｓ程度の高速のデータ送信を行うことができる規格であり、ＨＤＭＩを伝送可能なＭＨＬケーブルはＳＴＰ（Ｓｈｉｅｌｄｅｄ  Ｔｗｉｓｔｅｄ  Ｐａｉｒ）仕様で低ノイズのケーブルである。このため、ケーブル３１は、電波信号を伝送するのに好適である。また、このケーブル３１も、ＵＳＢと同様な端子配列等にて給電可能なケーブルである。つまりケーブル３１を介して電波信号が送信されている際にも、携帯端末１１の電源が切れていてもよい。
ケーブル３２は、例えば、テレビジョン装置２０に備わっているＲＣＡ端子と、ＡＶ出力可能携帯端末用の平型端子に接続する一般的なＲＣＡ−平型端子ケーブルである。ここで、コネクタ２２５の音声入力用のＲＣＡ端子に接続し、ケーブル３２を介して電源を供給可能である。このように、平型端子のケーブル３２を介して電波信号が送信されている場合にも、携帯端末１２の電源が切れていてもよい。
つまり、電力を供給可能なケーブル３０、３１、３３を用いることで、テレビジョン装置２０から、携帯端末１０、１１、１２へ電力を供給し、携帯電話の電池を消耗しないようにすることができる。
【００２４】
〔映像表示システムＸの電波受信処理〕
次に、図２〜図１０を参照して、テレビジョン装置２０と携帯端末１０、１１、１２とを用いた電波受信処理について説明する。
この処理では、テレビジョン装置２０において、通常のアンテナから電波が受信できない場合、切り換え信号送信部２０２が携帯端末１０、１１、１２へ、電波送信切り換え用コマンドを送信する。
すると、携帯端末１０、１１、１２においては、アンテナで受信したデジタル放送の電波信号をテレビジョン装置２０へ送信する。
テレビジョン装置２０のスイッチ２００、２１０、２２０は、携帯端末１０、１１、１２からの電波信号を受信できた場合、チューナ部２４０、２４１、２４２に切り換え、合成ダイバーシティー部２６０にてダイバーシティーを行う。
以下で図２と図３のフローチャートを参照して、本発明の実施の形態に係る電波受信処理の各ステップの概略について説明する。
【００２５】
〈電波受信処理のテレビジョン装置２０における処理〉
（ステップＳ１００）
まず、テレビジョン装置２０の制御部は、起動処理を行う。
この処理では、制御部は、各部位を初期化する。この初期化において、バッテリーから起動したことを検知した場合、制御部は、低消費電力モードに切り換える。
この低消費電力モードでは、高精細で映像エンジンの消費電力が大きい地上デジタル放送ではなく、ワンセグ放送を受信するように設定してもよい。
【００２６】
（ステップＳ１０１）
次に、テレビジョン装置２０の制御部は、通常アンテナから地上デジタル放送やワンセグ放送等のデジタル放送が受信できるか否かについて判定する。すなわち、停電時に、テレビジョン装置２０がバッテリーで動作していても、通常アンテナのブースターに電力が供給されていなかったり、屋内や屋外配線等に問題があったり、アンテナがなかったりした場合、デジタル放送は受信できない。
Ｙｅｓ、つまりデジタル放送を受信できる場合、制御部は処理をステップＳ１０２に進める。
Ｎｏ、つまりデジタル放送を受信できない場合、制御部は処理をステップＳ１０３に進める。
【００２７】
（ステップＳ１０２）
電波信号部の通常アンテナからデジタル放送が受信できる場合、テレビジョン装置２０の制御部は、通常動作処理を行う。
この処理において、制御部は各部を制御し、通常アンテナからデジタル放送を受信し、復号化して表示部に表示させる等の各処理行う。その後、制御部は、本発明の実施の形態に係る電波受信処理を終了する。
これにより、視聴者は通常のデジタル放送を受信することができる。
【００２８】
（ステップＳ１０３）
ここで、通常アンテナからデジタル放送が受信できない場合、テレビジョン装置２０の制御部は、ＵＳＢ判定処理を行う。
この処理では、制御部は、ＵＳＢコネクタ２０５に携帯端末１０が接続されているか否かを判定する。携帯端末１０が接続されている場合、制御部は、スイッチ２００をチューナ部２４０に切り換える。加えて、制御部は、切り換え信号送信部２０２を用いて、携帯端末１０のアンテナ部１００へ、電波信号を送信するよう指示する電波送信切り換え用コマンドを送信する。
このＵＳＢ判定処理と各部の動作の詳細については後述する。
【００２９】
（ステップＳ１０４）
次に、テレビジョン装置２０の制御部は、ＭＨＬ判定処理を行う。
この処理においても、制御部は、ＨＤＭＩコネクタ２１５に携帯端末１１が接続されているか否か判定し、上述のＵＳＢ判定処理と同様に電波信号を切り換える処理を行う。
このＭＨＬ判定処理と各部の動作の詳細についても後述する。
【００３０】
（ステップＳ１０５）
次に、テレビジョン装置２０の制御部は、ビデオ判定処理を行う。
この処理においても、制御部は、ＲＣＡコネクタ２２５に携帯端末１２が接続されているか否か判定し、上述のＵＳＢ判定処理及びＭＨＬ判定処理と同様の電波信号を切り換える処理を行う。
このビデオ判定処理と各部の動作の詳細についても後述する。
【００３１】
（ステップＳ１０６）
次に、テレビジョン装置２０の制御部は、アンテナ接続があったか否かについて判定する。つまり、制御部は、合成ダイバーシティー部２６０が、携帯端末１０、１１、１２のいずれかからの電波信号を受信したか否かについて判定する。
Ｙｅｓ、すなわち電波信号が受信できた場合、制御部は処理をステップＳ１０７に進める。
Ｎｏ、すなわち電波信号が受信できなかった場合、制御部は処理をステップＳ１０８に進める。
【００３２】
（ステップＳ１０７）
電波信号を受信できた場合、テレビジョン装置２０の制御部は、合成ダイバーシティー部２６０を用いて、ダイバーシティー処理を行う。
ここで、制御部は、携帯端末１０、１１、１２が複数接続されている場合、ダイバーシティー部２６０にて、複数の電波信号を最大比合成やアンテナ合成するダイバーシティーを行うことができる。これにより、電波状況が悪く、通常の地上デジタル放送やワンセグ放送が受信できないような環境でも、デジタル放送が受信可能となる。
以上により、電波受信処理を終了する。
【００３３】
（ステップＳ１０８）
いずれの電波信号も受信できなかった場合、テレビジョン装置２０の制御部は、受信不能処理を行う。
この処理において、制御部は、表示部に「電波受信できません」等の表示を行う。この上で、制御部は、アンテナの接続を喚起するようなメッセージも表示する。また、携帯端末１０、１１、１２のような携帯端末を接続することで、受信が可能になるというメッセージと接続方法とを図示、提示できる。
以上により、映像表示システムＸの電波受信処理を終了する。
【００３４】
〈電波受信処理の携帯端末１０、１１、１２における処理〉
上述のＵＳＢ判定処理、ＭＨＬ判定処理、ビデオ判定処理の際、電波受信処理の携帯端末１０、１１、１２のアンテナ部１００、１１０、１２０は、以下の処理を行う。
【００３５】
（ステップＳ２００）
携帯端末１０がテレビジョン装置２０に接続され、電波送信切り換え用コマンドをＵＳＢコネクタ１０５から受信すると、アンテナ部１００は、ＵＳＢスイッチ処理を行う。
この処理では、アンテナ部１００は、ＵＳＢコネクタ１０５のＵＳＢの信号線で電波信号の送信を行うよう切り換える。
この処理における各部の動作の詳細は、後述する。
【００３６】
（ステップＳ２０１）
携帯端末１１がテレビジョン装置２０に接続され、電波送信切り換え用コマンドをＵＳＢコネクタ１１５から受信すると、アンテナ部１１０は、ＵＳＢスイッチ処理を行う。
この処理では、アンテナ部１１０は、ＵＳＢコネクタ１１５でＭＨＬのデータペア送信に用いる信号線で電波信号の送信を行うよう切り換える。
この処理の詳細についても、後述する。
【００３７】
（ステップＳ２０２）
携帯端末１２がテレビジョン装置２０に接続されており、電波送信切り換え用コマンドを平型コネクタ１２５から受信すると、アンテナ部１２０は、平型電波信号スイッチ処理を行う。
この処理では、アンテナ部１２０は、平型コネクタ１２５のビデオ出力に用いる信号線で、電波信号の送信を行うよう切り換える。
この処理の詳細についても、後述する。
【００３８】
なお、これらの携帯端末１０、１１、１２における処理において、テレビジョン装置２０から給電されていれば、携帯端末１０、１１、１２のバッテリーは用いる必要がない。また、電波受信と送信に関するアンテナ部１００、１１０、１２０以外の部位の電源は切断しておくことができる。
【００３９】
〈ＵＳＢ判定処理の詳細〉
次に、図４〜５を参照して、ＵＳＢ判定処理（図２）の詳細について説明する。
まず、図４を参照して、テレビジョン装置２０と携帯端末１０との間のＵＳＢ接続による電波信号の送受信の詳細について説明する。
テレビジョン装置２０のスイッチ２００は、ＵＳＢコネクタ２０５を介して例えば＋５Ｖの電源を供給するための電源２０１と、ＵＳＢのデータペアを受信して電波信号に変換するチューナ部２４０と、チューナ部２４０／ＵＳＢインターフェイス２５０を切り換えるためのＵＳＢスイッチ２０３とを備えている。
また、携帯端末１０のアンテナ部１００は、地上デジタル放送やワンセグ放送等のデジタル放送に好適な帯域の電波を受信するアンテナとインピーダンス整合をするための抵抗や電波増幅のブースター等を備えることもできる携帯アンテナ１０９と、ワンセグ放送用の携帯ワンセグチューナ１０１と、通常のＵＳＢ機器とデータを送受信するためのＵＳＢインターフェイス１０２と、携帯アンテナ１０９からの電波信号の送信とＵＳＢインターフェイス１０２のＵＳＢ通信とを切り換えるＵＳＢスイッチ１０３とを備えている。
以下で、図５のフローチャートを参照して、ＵＳＢ判定処理の詳細について、ステップ毎に説明する。
【００４０】
（ステップＳ１３１）
まず、テレビジョン装置２０の制御部は、ＵＳＢコネクタ１１５に携帯端末１０が接続されているか否かについて判定する。つまり、制御部は、ＵＳＢコネクタ２０５とケーブル３０を介して、携帯端末１０のＵＳＢコネクタ１０５からアンテナ部１００に接続できるか否かについて判定する。
Ｙｅｓの場合、制御部は、処理をステップＳ１３２に進める。
Ｎｏの場合、制御部は、処理をステップＳ１３５に進める。
【００４１】
（ステップＳ１３２）
次に、テレビジョン装置２０の制御部は、ＵＳＢスイッチ切り換え処理を行う。
このステップにおいて、テレビジョン装置２０のＵＳＢスイッチ２０３はＵＳＢインターフェイス２５０に接続されている。
このため、制御部は、ＵＳＢスイッチ２０３を用いて、携帯端末１０へ電波送信切り換え用コマンドを送信する。
なお、制御部は、ＵＳＢインターフェイス２５０で電波送信切り換え用コマンドを生成して送信するように構成してもよい。
また、上述したように、携帯端末１０を手動のスイッチを切り換えることで電波送信状態にしたり、電源切り状態の場合に自動的に電波送信状態にするように構成することも可能である。これらの場合には、電波送信切り換え用コマンドを送信しなくともよい。
【００４２】
ここで、携帯端末１０のアンテナ部１００のＵＳＢスイッチ１０３は、図３のステップＳ２００のＵＳＢスイッチ処理を行う。
具体的には、テレビジョン装置２０の電源２０１から電源が供給されているため、ＵＳＢスイッチ１０３は、電波送信切り換え用コマンドを受信できる。これにより、ＵＳＢスイッチ１０３は、ＵＳＢのデータペア線への出力を、ＵＳＢインターフェイス１０２から携帯アンテナ１０９の電波信号出力に切り換える。つまり、ＵＳＢスイッチ１０３は、デジタル放送に係る帯域の電波信号を、ＵＳＢコネクタ１０５のＵＳＢのデータペア線から出力することができる。
なお、ＵＳＢスイッチ１０３は、電波状況が良くなかったり故障等でデジタル放送を受信できなかった場合には、エラー信号を出力する。さらに、ＵＳＢスイッチ１０３のない携帯端末の場合、電波送信切り換え用コマンドに反応しないかエラー信号を出力する。
【００４３】
（ステップＳ１３３）
次に、テレビジョン装置２０の制御部は、携帯端末１０からのＵＳＢによる電波信号の受信があるか否かについて判定する。すなわち、所定の待ち時間以内に、ＵＳＢコネクタ２０５又はＵＳＢスイッチ２０３にて、携帯端末１０からの電波信号を受信できたか否かを判定する。
Ｙｅｓの場合、制御部は処理をステップＳ１３４に進める。
Ｎｏの場合、制御部は処理をステップＳ１３５に進める。
【００４４】
（ステップＳ１３４）
電波信号を受信できた場合、テレビジョン装置２０の制御部は、ＵＳＢアンテナ・オン処理を行う。
具体的には、制御部は、テレビジョン装置２０のスイッチ２００のＵＳＢスイッチ２０３をチューナ部２４０に切り換える。
これにより、チューナ部２４０は、電波信号からデジタル放送に必要な信号を復調し、合成ダイバーシティー部２６０に送信する。
以上により、ＵＳＢ判定処理を終了する。
【００４５】
（ステップＳ１３５）
電波信号を受信できなかった場合、テレビジョン装置２０の制御部は、ＵＳＢアンテナ・オフ処理を行う。
この処理では、制御部は、テレビジョン装置２０のスイッチ２００のＵＳＢスイッチ２０３をＵＳＢインターフェイス２５０に接続したまま、通常のＵＳＢ接続に係る処理を行う。つまり、ＵＳＢコネクタ２０５に何も接続されていない場合には何の処理もしない。また、ＵＳＢコネクタ２０５に通常の電波信号の送信に対応していないＵＳＢ機器が接続されている場合には、その機器に係る処理を行う。
以上により、ＵＳＢ判定処理を終了する。
【００４６】
〈ＭＨＬ判定処理の詳細〉
次に、図６〜８を参照して、ＭＨＬ判定処理（図２）の詳細について説明する。
まず、図６を参照して、ＭＨＬ判定処理に用いるテレビジョン装置２０と携帯端末１１との間のＭＨＬ接続による電波信号の送受信の詳細について説明する。図６において、図４と符号が同じ構成部位は、同様の機能をもつことを示している。
これに加え、テレビジョン装置２０のスイッチ２１０は、チューナ部２４１／ＨＤＭＩ入力部２５１を切り換えるためのＭＨＬスイッチ２１３を備えている。
また、携帯端末１１のアンテナ部１１０は、通常のＭＨＬ通信やＨＤＭＩによる画像とデータの送受信するためのＭＨＬインターフェイス１１２、及びＭＨＬインターフェイス１１２のＭＨＬ通信と携帯アンテナ１０９からの電波信号の送信とを切り換えるスイッチであるＭＨＬスイッチ１１３を備えている。
【００４７】
さらに、図７を参照して、実際のＭＨＬによる電波信号の送受信に用いる回路の例について説明する。
ＭＨＬで電波信号の送受信を行う場合、図７の携帯端末１１のアンテナ部１１０のインピーダンスマッチング１１４及びテレビジョン装置２０のスイッチ２１０のインピーダンスマッチング２１４を用いる必要がある。インピーダンスマッチング１１４、２１４は、コイルとコンデンサ（ＬＣ）やトランス等を用いたインピーダンス整合回路である。また、円筒状に示した各抵抗のある信号線は、インピーダンスコントロールされた伝送路を示す。これらにより、各信号線の規格を損ねることがなく、電波信号を好適に送信可能である。
各信号を送受信する際には、図７の例に示したようなピンアサインで行うことができるが、これに限られない。
【００４８】
次に、図８を参照して、ＭＨＬ判定処理の詳細について説明する。
ＭＨＬ判定処理は、接続されるケーブル３１として、例えばＨＤＭＩ−ＵＳＢケーブルを用いて、携帯端末１１からの電波信号を送受信する以外は、ＵＳＢ判定処理と同様である。
図８のステップＳ１４１は図５のステップＳ１３１と、ステップＳ１４２はステップＳ１３２と、ステップＳ１４３はステップＳ１３３と、ステップＳ１４４はステップＳ１３４と、ステップＳ１４５はステップＳ１３５と、それぞれ同様の処理を行う。
【００４９】
〈ビデオ判定処理の詳細〉
次に、図９〜１０を参照して、ビデオ判定処理（図２）の詳細について説明する。
まず、図９を参照して、ビデオ判定処理に用いるテレビジョン装置２０と携帯端末１２との間のビデオ信号による電波信号の送受信の詳細について説明する。図９においても、図４と符号が同じ構成部位は、同様の機能をもつ部位であることを示している。
これに加え、テレビジョン装置２０のスイッチ２２０は、ビデオ信号線から電波信号を受信し、チューナ部２４２／ビデオ入力部２５２を切り換えるためのビデオスイッチ２２３とを備えている。
また、携帯端末１２のアンテナ部１２０は、ビデオ信号で静止画像や動画像を送信するためのビデオアンプ１２２と、テレビジョン装置２０からの電波送信切り換え用コマンドにより、アンテナ１０９の電波信号をビデオ信号の信号線に出力するＲＦスイッチ１２３とを備えている。
また、平型コネクタ１２５は、ビデオ（コンポジット）信号を出力する平型コネクタを用いることが可能である。さらに、図９では図示していないが、テレビジョン装置２０から電源を音声ライン等で平型コネクタ１２５へ入力し、ＲＦスイッチ１２３に供給することもできる。
このように構成することで、ビデオ（ＲＣＡ）ラインは構成が簡単となり、ケーブルも同軸７５Ωのため、電波信号の送信と親和性が高くなる。
【００５０】
次に、図１０を参照すると、ビデオ判定処理は、接続されるケーブル３２として、ＲＣＡ−平型端子ケーブルを用いて、ビデオ信号の信号線で電波信号を送受信する以外は、上述のＵＳＢ判定処理やＭＨＬ判定処理と同様である。
すなわち、図５のＵＳＢ判定処理の例で説明すると、図１０のステップＳ１５１は図５のステップＳ１３１と、ステップＳ１５２はステップＳ１３２と、ステップＳ１４３はステップＳ１３３と、ステップＳ１５４はステップＳ１３４と、ステップＳ１５５はステップＳ１３５と、それぞれ同様の処理を行う。
【００５１】
以上のように構成することで、以下のような効果を得ることができる。
本発明の実施の形態に係る映像表示システムＸにおいては、携帯端末１０、１１、１２からテレビジョン装置２０に対して、ＵＳＢやＭＨＬやビデオ信号の信号線で電波信号を送信する。
これにより、映像表示システムＸは、災害時やブースター等のアンテナ受信環境が損なわれた場合でも、携帯端末１０、１１、１２からデジタル放送の電波信号を受信し、テレビジョン装置２０でデジタル放送を表示できる。また、電波信号の送信に、一般的なケーブル３０、３１、３２を用いるため、コストを削減できる。
また、映像表示システムＸは、携帯端末１０、１１、１２に備わっている放送受信と表示機能を用いてワンセグ放送を表示する必要がない。すなわち、電波信号をＵＳＢやＭＨＬやビデオ信号の信号線に送信するため、アンテナ部１００、１１０、１２０以外の制御部や通話／通信関係の部位、一般的なＵＳＢやＭＨＬの機器との接続に係る部位へ電源を供給する必要がない。よって、携帯端末１０、１１、１２に備わっているバッテリーを消費しないという効果が得られる。
また、テレビジョン装置２０においても、携帯端末１０、１１、１２に対して、ＵＳＢ端子等を用いてアンテナ部１００、１１０、１２０のみに給電すればよい。このため、テレビジョン装置２０のバッテリー消費も抑えることができる。
【００５２】
また、映像表示システムＸでは、放送塔が罹災して通常の地上デジタル放送が受信できないような場合でも、携帯端末１０、１１、１２でワンセグ放送の電波を受信することができる。これにより、テレビジョン装置２０でワンセグ放送を視聴できる可能性を高めることができる。
また、映像表示システムＸでは、ワンセグ放送の専用アンテナ等を有していないテレビジョン装置２０でも、ワンセグ放送を受信可能となる。このため、テレビジョン装置２０に、ワンセグ放送の受信のための専用アンテナやチューナ等を必要とせず、コストを削減できる。
【００５３】
また、テレビジョン受信機に固定アンテナを搭載すると、アンテナの位置を自由に変更できない。しかしながら、携帯端末でワンセグ放送を視聴する場合、電波の受信状態が良い場所が、視聴環境が良いとは限らない。
これに対して、映像表示システムＸは、携帯端末１０、１１、１２をデジタル放送の受信状態の良い場所へ置き、テレビジョン装置２０は視聴環境の良い場所に設置できる。この際に、特許文献１乃至３の技術のように携帯端末でデジタル放送をデコードせず、携帯端末１０、１１、１２で受信した電波信号をテレビジョン装置２０にてデコードして表示する。よって、携帯端末１０、１１、１２のバッテリー消費を気にする必要がない。
また、映像表示システムＸは、携帯端末１０、１１、１２をアンテナとして複数接続することで、ダイバーシティー効果も得られる。
さらに、テレビジョン装置２０で電波信号をデコードすることで、より処理能力が高いデコーダ等を用いることが可能となり、ワンセグ放送であっても、時間補完や高解像度化画像補間等により美麗な画像や音声を視聴可能となる。
【００５４】
なお、上述の実施の形態では、携帯端末１０、１１、１２がアンテナを内蔵してデジタル放送の電波を受信する例について説明した。しかしながら、携帯端末１０、１１、１２が、外部アンテナを備えていてもよい。
また、携帯端末１０、１１、１２のアンテナ部１００は、電子スイッチやリレー等でアンテナの切り換えをするように記載したが、単純に機械的なスイッチを用いてアンテナの出力をコネクタ１０５、１１５、１２５に出力するようにしてもよい。これにより、携帯端末１０、１１、１２を単なるデジタル放送に特化した外部アンテナとして用いることもでき、まったく電源を供給する必要がなくなる。
さらに、携帯端末１０、１１、１２は、ＵＳＢやＭＨＬやビデオ以外のケーブルとデータ送信の方式を用いて、電波信号をテレビジョン装置２０に送信してもよい。
【００５５】
また、携帯端末において、電波信号を一旦、Ａ／Ｄ変換し、ＵＳＢやＭＨＬやビデオ信号を用いて符号化／変調して送信することもできる。そして、テレビジョン装置２０のスイッチ２００、２１０、２２０やチューナ２４０、２４１、２４２にて復号化／復調するように構成することもできる。この場合、携帯端末から電波信号を直接、ＵＳＢやＭＨＬやビデオ信号で送信することで、ノイズを避けることが可能になる。
加えて、携帯端末１０、１１、１２が無線通信回線を用いて放送を受信し、これをデジタル放送の電波信号の形式のデータペアに変換することもできる。
また、電源線はＤＣであるので、ＵＳＢやＭＨＬの電源線に電波信号帯域を重畳することも可能である。
【００５６】
なお、本発明は、テレビジョン装置２０の他に、デジタル放送を受信可能なデジタルチューナ、ＨＤＤ／ＢＤレコーダ、セットトップボックス、ディスプレイ装置、テレビジョン、プロジェクタ、携帯電話、スマートフォン、ＰＤＡ（パーソナル・データ・アシスタント）、ＭＩＤ（モバイル・インターネット端末）、ネットブック、ノートＰＣ、ワンセグテレビ、ビデオゲーム機等に適用可能である。
【００５７】
なお、上記実施の形態の構成及び動作は例であって、本発明の趣旨を逸脱しない範囲で適宜変更して実行することができることは言うまでもない。
【符号の説明】
【００５８】
１０、１１、１２  携帯端末
２０  テレビジョン装置
３０、３１、３２  ケーブル
１００、１１０、１２０  アンテナ部
１０１  携帯ワンセグチューナ
１０２  ＵＳＢインターフェイス
１０３、２０３  ＵＳＢスイッチ
１０５、１１５、２０５  ＵＳＢコネクタ
１０９  携帯アンテナ
１１２  ＭＨＬインターフェイス
１１３、２１３  ＭＨＬスイッチ
１１４、２１４  インピーダンスマッチング
１２２  ビデオアンプ
１２３  ＲＦスイッチ
１２５  平型コネクタ
２００、２１０、２２０  スイッチ
２０１  電源
２０２  切り換え信号送信部
２１５  ＨＤＭＩコネクタ
２２３  ビデオスイッチ
２２５  ＲＣＡコネクタ
２４０、２４１、２４２  チューナ部
２５０  ＵＳＢインターフェイス
２５１  ＨＤＭＩ入力部
２５２  ビデオ入力部
２６０  合成ダイバーシティー部
Ｘ  映像表示システム
【図１】
2013131879.tif 000003
【図２】
2013131879.tif 000004
【図３】
2013131879.tif 000005
【図４】
2013131879.tif 000006
【図５】
2013131879.tif 000007
【図６】
2013131879.tif 000008
【図７】
2013131879.tif 000009
【図８】
2013131879.tif 000010
【図９】
2013131879.tif 000011
【図１０】
2013131879.tif 000012